(57)【要約】【課題】屋外で横向きに敷設しても、雨水が導体内部に滞留するのを防止して、導体の汚損、腐食を発生させることなく、絶縁低下をもたらすことなく、安定的に電力を供給することができる絶縁トロリ線を提供する。【解決手段】摺動面を有し、摺動面が横向きに配置された導体と、摺動面に対応する開口部を除く導体の外周面を覆う絶縁カバー本体部と、開口部から外方に突出した脚部とを一体的に備えた絶縁カバー部と、導体の摺動面の近傍から液体を外部に導くドレイン機構とを備えた絶縁トロリ線。上述する導体が摺動面を有する中央部の第１導体部と、第１導体部の両端部に一体的に形成されて、開口部を形成する第２導体部とを備え、概ねコの字形の同一断面形状を有し、ドレイン機構が、下方側に位置する第２導体部および絶縁カバー部に設けられている。【選択図】図１
2010208544.tif 000002
【特許請求の範囲】
【請求項１】
摺動面を有し、前記摺動面が横向きに配置された導体と、
前記摺動面に対応する開口部を除く前記導体の外周面を覆う絶縁カバー本体部と、前記開口部から外方に突出した脚部とを一体的に備えた絶縁カバー部と、
前記導体の摺動面の近傍から液体を外部に導くドレイン機構とを備えた絶縁トロリ線。
【請求項２】
前記導体が摺動面を有する中央部の第１導体部と、前記第１導体部の両端部に一体的に形成されて、前記開口部を形成する第２導体部とを備え、概ねコの字形の同一断面形状を有し、前記ドレイン機構が、下方側に位置する前記第２導体部および前記絶縁カバー部に設けられている請求項１に記載の絶縁トロリ線。
【請求項３】
前記導体が摺動面を有する第１円柱部、前記第１円柱部と平行に配置された第２円柱部、および、前記第１円柱部と前記第２円柱部とを連結する連結部が一体的に形成され、概ね眼がね形の同一断面形状を有し、前記ドレイン機構が、前記第１円柱部の下方側に位置する絶縁カバー部に設けられている請求項１に記載の絶縁トロリ線。
【請求項４】
前記ドレイン機構が前記第２導体部および絶縁カバー部に形成された貫通孔部からなっている、請求項２に記載の絶縁トロリ線。
【請求項５】
前記ドレイン機構が絶縁カバー部に形成された貫通孔部からなっている、請求項３に記載の絶縁トロリ線。
【請求項６】
前記貫通孔部が、傾斜部および垂直部からなる概ね漏斗状の断面形状を備え、前記第２導体部の内表面側に前記傾斜部が位置し、前記第２導体部の外表面側および前記絶縁カバー側に前記垂直部が位置している請求項４に記載の絶縁トロリ線。
【請求項７】
前記貫通孔部が、傾斜部および垂直部からなる概ね漏斗状の断面形状を備え、前記第１円柱部に面する側に前記傾斜部が位置している請求項５に記載の絶縁トロリ線。
【請求項８】
前記傾斜部が、平面矩形状で、所定傾斜角を有する４つの平らな面からなり、前記垂直部が円筒形状からなっている、請求項６または７に記載の絶縁トロリ線。
【請求項９】
前記傾斜部が、平面円形状で、所定傾斜角を有する面からなり、前記垂直部が円筒形状からなっている、請求項６または７に記載の絶縁トロリ線。
【請求項１０】
前記導体を覆う前記絶縁カバーを包み込むように保持するハンガーを備えている、請求項１から９の何れか１項に記載の絶縁トロリ線。
【請求項１１】
前記貫通孔部の近傍に配置された感電防止用絶縁物を備えている、請求項１から１０の何れか１項に記載の絶縁トロリ線。
【発明の詳細な説明】
【技術分野】
【０００１】
この発明は、クレーン、搬送台車等に電力を供給し、信号を伝送するための絶縁トロリ線、特に、屋外で横向きに敷設した際に、雨水の滞留を防止することができる絶縁トロリ線に関する。
【背景技術】
【０００２】
従来、クレーン、搬送台車等に電力を供給し、信号を伝送するために絶縁トロリ線が使用されてきた。絶縁トロリ線は、通常銅等の導電金属の導体の外周面に、接触集電のための開口部を除いて、絶縁カバーを設けたものである。図６は、絶縁トロリ線から集電する接触集電子を備えた集電装置の一例を説明する図である。図６を参照して、絶縁トロリ線からの集電について説明する。上述した絶縁トロリ線は、通常一定間隔でハンガーによって支持して、クレーン、搬送台車等の走行路に沿って平行に敷設し、接触集電子を備えた集電装置を介してクレーン、搬送台車等に電力を供給し、信号を伝送する。
【０００３】
図６に示すように、例えば、接触集電子を備えた集電装置１００において、取り付け金具１０５を介してアーム１０１が、絶縁トロリ線に向かって円弧状に起伏自在に、クレーンに取り付けられている。アーム１０１の先端部には、ピン１０６を介して集電子１０２が揺動可能に取り付けられている。集電子１０２は例えばカーボン、銅等の焼結合金製のブラシからなっている。集電子１０２にはリード線１０４が接続されている。リード線１０４は、クレーンのモータ等の負荷に接続されている。
【０００４】
アーム１０１の先端部と取り付け金具１０５の間には、引張ばね１０３が備えられており、引張ばね１０３の付勢力によって集電子１０２のブラシが絶縁トロリ線の導体に押し付けられる。上述したように、集電子１０２のブラシが絶縁トロリ線の導体と接触摺動して集電して、リード線１０４を介してクレーン等に電力を供給する。
【０００５】
図７は、絶縁トロリ線を支持するハンガーを説明する断面図である。上述したように、絶縁トロリ線１０７は、通常銅等の導電金属の導体１０９の外周面に接触集電のための開口部を除いて、絶縁カバー１１０を設けている。絶縁トロリ線１０７は、通常一定間隔でハンガー１０８によって支持して、クレーン、搬送台車等の走行路に沿って平行に敷設されている。ハンガー１０８は、絶縁トロリ線１０７の上部を外側から挟み込むように把持して、例えば天井等に支持する。絶縁トロリ線１０７の絶縁カバー１１０は、通常押し出し成形によって成形されており、ハンガー１０８は別部材で形成され、装着されている。
【先行技術文献】
【特許文献】
【０００６】
【特許文献１】特開２００６−２１８９０５号公報
【特許文献２】特開２００３−２３５１０２号公報
【発明の概要】
【発明が解決しようとする課題】
【０００７】
上述した従来の絶縁トロリ線は、屋内で使用されることが多く、また、開口部が下方に位置している。従って、屋内で使用する限りは、特に問題なく使用することができた。しかし、従来の絶縁トロリ線を、屋外で、しかも横向きに敷設した場合には、降雨によって絶縁トロリ線の開口部から雨水が浸入し、浸入した雨水の一部が導体内部の摺動部近傍に滞留する。導体内部に雨水が滞留すると、導体内部に塵埃が付着し易くなる。その結果、給電に使用している間に、導体の汚損および腐食を発生させ、接触集電子（即ち、シュー）と接触する導体摺動面との接触抵抗が増大して、電力の供給が不安定になる恐れがある。更に、導体内部に水分が滞留することによって、絶縁低下を引き起こす恐れがあるという問題点があった。
【０００８】
従って、この発明の目的は、屋外で横向きに敷設しても、雨水が導体内部に滞留するのを防止して、導体の汚損、腐食を発生させることなく、絶縁低下をもたらすことなく、安定的に電力を供給することができる絶縁トロリ線を提供することにある。
【課題を解決するための手段】
【０００９】
本発明者は、上述した従来の問題点を解決すべく鋭意研究を重ねた。その結果、以下のことが判明した。
即ち、屋外に横向きに配置した導体の形状に対応して、断面子の字形の導体の場合には、摺動面より下に位置する、コの字形の下方に位置する導体の一部および導体を覆う絶縁カバーの対応する部分にドレイン機構（例えば、貫通孔部）を設けることによって、導体内部から雨水を絶縁トロリ線の外部に導くことができるので、屋外で横向きに敷設しても、雨水が導体内部に滞留するのを防止して、導体の汚損、腐食を発生させることなく、絶縁低下をもたらすことなく、安定的に電力を供給することができる。更に、導体の形状が、断面概ねめがね形状の場合には、導体を覆う絶縁カバーの一部（最も低い部位）にドレイン機構（例えば、貫通孔部）を設けることによって、導体内部から雨水を絶縁トロリ線の外部に導くことができる。
【００１０】
更に、ドレイン機構（貫通孔）を断面形状が傾斜面部と垂直面部とを備えることによって、より効果的に導体内部の雨水を導体外部に導くことができる。更に、ドレイン機構の外側（下部側）にドレイン機構を覆うように絶縁部材を設けることによって、ドレイン機構に直接手を触れるのを防止して、感電を防止することができる。
【００１１】
この発明は、上記研究結果に基づいてなされたものであって、この発明の絶縁トロリ線の第１の態様は、摺動面を有し、前記摺動面が横向きに配置された導体と、前記摺動面に対応する開口部を除く前記導体の外周面を覆う絶縁カバー本体部と、前記開口部から外方に突出した脚部とを一体的に備えた絶縁カバー部と、前記導体の摺動面の近傍から液体を外部に導くドレイン機構とを備えた絶縁トロリ線である。
【００１２】
この発明の絶縁トロリ線の第２の態様は、前記導体が摺動面を有する中央部の第１導体部と、前記第１導体部の両端部に一体的に形成されて、前記開口部を形成する第２導体部とを備え、概ねコの字形の同一断面形状を有し、前記ドレイン機構が、下方側に位置する前記第２導体部および前記絶縁カバー部に設けられている絶縁トロリ線である。
【００１３】
この発明の絶縁トロリ線の第３の態様は、前記導体が摺動面を有する第１円柱部、前記第１円柱部と平行に配置された第２円柱部、および、前記第１円柱部と前記第２円柱部とを連結する連結部が一体的に形成され、概ね眼がね形の同一断面形状を有し、前記ドレイン機構が、前記第１円柱部の下方側に位置する絶縁カバー部に設けられている絶縁トロリ線である。
【００１４】
この発明の絶縁トロリ線の第４の態様は、前記ドレイン機構が前記第２導体部および絶縁カバー部に形成された貫通孔部からなっている絶縁トロリ線である。
【００１５】
この発明の絶縁トロリ線の第５の態様は、前記ドレイン機構が絶縁カバー部に形成された貫通孔部からなっている絶縁トロリ線である。
【００１６】
この発明の絶縁トロリ線の第６の態様は、前記貫通孔部が、傾斜部および垂直部からなる概ね漏斗状の断面形状を備え、前記第２導体部の内表面側に前記傾斜部が位置し、前記第２導体部の外表面側および前記絶縁カバー側に前記垂直部が位置している絶縁トロリ線である。
【００１７】
この発明の絶縁トロリ線の第７の態様は、前記貫通孔部が、傾斜部および垂直部からなる概ね漏斗状の断面形状を備え、前記第１円柱部に面する側に前記傾斜部が位置している絶縁トロリ線である。
【００１８】
この発明の絶縁トロリ線の第８の態様は、前記傾斜部が、平面矩形状で、所定傾斜角を有する４つの平らな面からなり、前記垂直部が円筒形状からなっている絶縁トロリ線である。
【００１９】
この発明の絶縁トロリ線の第９の態様は、前記傾斜部が、平面円形状で、所定傾斜角を有する面からなり、前記垂直部が円筒形状からなっている絶縁トロリ線である。
【００２０】
この発明の絶縁トロリ線の第１０の態様は、前記導体を覆う前記絶縁カバーを包み込むように保持するハンガークランプを備えている絶縁トロリ線である。
【００２１】
この発明の絶縁トロリ線の第１１の態様は、前記貫通孔部の近傍に配置された感電防止用絶縁物を備えている絶縁トロリ線である。
【発明の効果】
【００２２】
この発明によると、屋外で横向きに敷設しても、雨水が導体内部に滞留するのを防止して、導体の汚損、腐食を発生させることなく、絶縁低下をもたらすことなく、安定的に電力を供給することができる絶縁トロリ線を提供することができる。
【００２３】
即ち、屋外に横向きに配置した導体の形状に対応して、断面子の字形の導体の場合には、摺動面より下に位置する、コの字形の下方に位置する導体の一部および導体を覆う絶縁カバーの対応する部分にドレイン機構（例えば、貫通孔部）を設けることによって、導体内部から雨水を絶縁トロリ線の外部に導くことができるので、屋外で横向きに敷設しても、雨水が導体内部に滞留するのを防止して、導体の汚損、腐食を発生させることなく、絶縁低下をもたらすことなく、安定的に電力を供給することができる。
【００２４】
この発明によると、更に、導体の形状が、断面概ねめがね形状の場合には、導体を覆う絶縁カバーの一部（最も低い部位）にドレイン機構（例えば、貫通孔部）を設けることによって、導体内部から雨水を絶縁トロリ線の外部に導くことができる。
【図面の簡単な説明】
【００２５】
【図１】図１は、この発明の絶縁トロリ線の１つの態様を説明する断面図である。
【図２】図２は、ハンガークランプに固定された絶縁トロリ線を説明する断面図である。
【図３】図３は、この発明の絶縁トロリ線の他の１つの態様を説明する断面図である。
【図４】図４は、ドレイン機構の詳細を説明する図である。図４（ａ）は平面図、図４（ｂ）は断面図である。
【図５】図５は、他の態様のドレイン機構の詳細を説明する図である。図５（ａ）は平面図、図５（ｂ）は断面図である。
【図６】図６は、絶縁トロリ線から集電する接触集電子を備えた集電装置の一例を説明する図である。
【図７】図７は、絶縁トロリ線を支持するハンガーを説明する断面図である。
【発明を実施するための最良の形態】
【００２６】
この発明の絶縁トロリ線の実施形態について図面を参照しながら詳細に説明する。
この発明の絶縁トロリ線の１つの態様は、摺動面を有し、前記摺動面が横向きに配置された導体と、前記摺動面に対応する開口部を除く前記導体の外周面を覆う絶縁カバー本体部と、前記開口部から外方に突出した脚部とを一体的に備えた絶縁カバー部と、前記導体の摺動面の近傍から液体を外部に導くドレイン機構とを備えた絶縁トロリ線である。
【００２７】
図１は、この発明の絶縁トロリ線の１つの態様を説明する断面図である。この態様の絶縁トロリ線１は、導体２と、導体２の外側を覆う絶縁カバー３とを備えている。この発明の絶縁トロリ線１においては、図１に示すように、（図示しない）接触集電子との摺動面６が水平方向に面して位置するように、導体２が配置されている。導体２は、高い剛性を有し、集電子が接触摺動する摺導面６を有する第１導体部４と第１導体部４の両端部に一体的に形成されて、開口部８を形成する第２導体部５−１、５−２とを備え、概ねコの字形の同一断面形状を有している。
【００２８】
第２導体部５−１、５−２は、第１導体部４の両端部に水平方向に向かって延伸して形成されており、摺導面６７に沿って接触摺動する集電子の移動を誘導するガイド機能を備え、導体２の外周面を覆う絶縁カバー３の摩耗を防止する。なお、後述するように、第２導体部５−１、５−２は、図１に示すように、開口部に向かって末広がりに広がり、特に下方側の第２導体部５−２は、下方に向かう傾斜面を形成することが望ましい。このように下方側の第２導体部５−２が下方に向かう傾斜面を形成することによって、屋外に配置され雨水が導体内部に浸入した場合に、導体外部に雨水を誘導することができる。
【００２９】
図示しない集電子（例えば銅合金製）が長手方向に向かって円滑に接触摺動することができるように、導体２は上述したように同一断面形状を有している。絶縁カバー３は、第１導体部４および第２導体部５−１、５−２の外周面を覆うように形成されている。絶縁カバー３の脚部１０は、第２導体部５−１、５−２のそれぞれの先端部から更に外方に延伸して相互に内側に向かって形成されている。
【００３０】
絶縁カバー３は、導体２と同様に、集電子が第１導体部４の摺導面６と接触摺動するために、水平方向に開口部８を備えている。絶縁カバー２の絶縁カバー本体部９から両脚部１０が内側に向かって延伸して形成されることによって、塵埃等の浸入を防止することができる。
【００３１】
図１に示す態様の絶縁トロリ線１は、更にドレイン機構７を備えている。ドレイン機構７は、導体２の下方側に位置する第２導体部５−２および絶縁カバー３の脚部１０に設けられている。ドレイン機構７は例えば貫通孔部７からなっている。この態様では、貫通孔部７は第２導体部５−２および絶縁カバー３の脚部１０を貫通して設けられている。貫通孔部７は、導体２の長軸方向に沿って所定間隔で設けられている。
【００３２】
図２は、ハンガークランプに固定された絶縁トロリ線を説明する断面図である。図２に示すように、接触集電子との摺動面６が水平方向に面して位置するように、図１を参照して説明した導体２が配置され、絶縁カバー３が、第１導体部４および第２導体部５−１、５−２を備えた導体２の外周面を覆うように形成されている。このように導体が横向きに配置された状態で、ハンガークランプ１１に例えばワンタッチで取り付けられて、固定される。
【００３３】
ハンガークランプは、壁面等の垂直面に所定間隔で適宜固定されている。図２に示すように、ハンガークランプに固定された絶縁トロリ線の下方側に位置する第２導体部および絶縁カバーにドレイン機構７が設けられ、屋外において雨水が導体内部に浸入した場合にも、ドレイン機構７によって、絶縁トロリ線の外部に排出される。
【００３４】
図２を参照して説明した絶縁トロリ線においては、図示していないが、ハンガークランプに固定された絶縁トロリ線の下方側に位置する第２導体部および絶縁カバーに設けられたドレイン機構７の下方を覆うように感電防止絶縁部材を配置してもよい。このように感電防止絶縁部材を配置することによって、誤って絶縁トロリ線の下面、特にドレイン機構７に手等が触れた場合にも、感電による被害を防ぐことができる。
【００３５】
図３は、この発明の絶縁トロリ線の他の１つの態様を説明する断面図である。この態様の絶縁トロリ線は、導体が摺動面を有する第１円柱部、第１円柱部と平行に配置された第２円柱部、および、第１円柱部と第２円柱部とを連結する連結部が一体的に形成され、概ね眼がね形の同一断面形状を有し、ドレイン機構が、第１円柱部の下方側に位置する絶縁カバー部に設けられている絶縁トロリ線である。
【００３６】
図３に示すように、この態様における絶縁トロリ線の導体２０は、摺動面２４を有する第１円柱部２１、第１円柱部２１と平行に配置された第２円柱部２２および第１円柱部２１と第２円柱部２２とを連結する連結部２３が一体的に形成されている。即ち、長手方向に水平面に並列に配置された２つの概ね円柱形の部分が矩形の連結部２３によって連結されて一体的に形成されている。断面は概ね眼がね形状の同一断面形状を有している。このように形成された導体２０の外周面を、水平方向に位置する開口部２５を除いて全体を絶縁カバー２６が覆っている。
【００３７】
第１円柱部２１と第２円柱部２２とを連結する連結部２３が、導体２０の上下面に対応する窪み部３３をそれぞれ形成している。絶縁カバー２６が、開口部２５を除いて導体の２０外周全面を覆うように形成され、連結部２３に対応する部位が同様に窪み部３２を形成している。導体２０を覆う絶縁カバー２６は、第１円柱部２１、第２円柱部２２および連結部２３の大部分を覆う絶縁カバー本体部２７と、摺動面２４から水平方向に外方に延伸して開口部２５を形成する脚部２８とからなり、それらが一体的に形成されている。このように形成された絶縁カバー本体部２７の、脚部２８側に近い概ね最下点近傍にドレイン機構２９が設けられている。ドレイン機構２９は例えば貫通孔部からなっており、所定間隔で導体の長手方向に設けられている。
【００３８】
ハンガークランプ３１は、図２を参照して説明したように、壁面等の垂直面に所定間隔で適宜固定されている。上述した導体２０の摺動面が横向きに配置された状態で、ハンガークランプ３１に例えばワンタッチで取り付けられて、固定される。図３に示すように、ハンガークランプの２つの先端部３４がそれぞれ内側に湾曲し、上述した絶縁カバー本体２７の窪み部３２に嵌合されて、ハンガークランプ３１に絶縁カバー２６に覆われた導体２０が摺動面２４を横向きにして固定される。
【００３９】
図３に示す態様では、ハンガークランプ３１の下端部に、導体２０の下端部に沿って、感電防止絶縁部材３０が配置されて、ドレイン機構２９の周りを覆って、感電防止を図っている。この態様においても、導体２０の摺動面２４は、絶縁カバー２６の脚部２８によって上下方向が覆われているが、屋外に配置され、摺動面２４近傍に雨水が浸入しても、一部は絶縁カバー２６の有する傾斜面に沿って絶縁トロリ線外に導かれ、導体２０内部に浸入した雨水は、導体２０の最下点近傍に設けられたドレイン機構２９を通って絶縁トロリ線の外に排出される。
【００４０】
図４は、ドレイン機構の詳細を説明する図である。図４（ａ）は平面図、図４（ｂ）は断面図である。ドレイン機構７は、貫通孔部４０からなっている。図１および図２を参照して説明した態様のドレイン機構７においては、貫通孔部４０が、傾斜４１部および垂直部４２からなる概ね漏斗状の断面形状を備え、第２導体部５−２の内表面側に傾斜部４１が位置し、第２導体部５−２の外表面側および絶縁カバーに垂直部４２が位置している。傾斜部４１が、平面矩形状で、所定傾斜角を有する４つの平らな面４３からなり、垂直部４２が円筒形状からなっている。
【００４１】
図４（ａ）に示すように、上側から見た形状は、中央部に円形の垂直部４２が位置し、その周りを傾斜部４１が囲むようにして位置している。図４（ｂ）に示すように、第２導体部５−２を貫通して形成された貫通孔部４０は、外周側から中心部に向かって低くなるような傾斜で形成された傾斜面部４１と、垂直に位置する円筒状の垂直部４２からなり、概ね漏斗状の断面形状を備えている。図４には示していないが、図１に示すように、第２導体部５−２の下方には絶縁カバーが位置し、第２導体部５−２に形成された垂直部４２と同一形状の垂直部が絶縁カバーに形成され、導体内部から絶縁トロリ線１の外部に雨水等が排出される。
【００４２】
即ち、屋外に配置されて、摺動面８が位置する導体内部に雨水が浸入すると、導体２の下側に位置する第２導体部５−２の傾斜面に沿って開口部８に向かって流れ、漏斗状の傾斜面部４１の傾斜面に沿って円筒状の垂直部に流れ込み、第２導体部５−２の下方に形成された絶縁カバーに形成された対応する垂直部を通って、下方に流れて、絶縁トロリ線の外部に排出される。
【００４３】
図３を参照して説明した態様のドレイン機構２９においては、貫通孔部４０が、傾斜部４１および垂直部４２からなる概ね漏斗状の断面形状を備え、絶縁カバーの２６第１円柱部２１に面する側に傾斜部４１が位置している。この態様では、貫通孔部４０は、導体ではなく、絶縁カバーに形成されている。即ち、図４に示す形状の貫通孔部４０が、絶縁カバー２６の絶縁カバー本体部２７の、脚部２８側に近い概ね最下点近傍に設けられている。この態様では、屋外に配置されて、摺動面２４が位置する導体内部に雨水が浸入すると、導体２０を覆う絶縁カバーの脚部２８の傾斜面に沿って開口部２５に向かって流れ、一部は、導体２０の第１円柱部２１と絶縁カバー本体部２７の間に浸入し、絶縁カバーに形成された漏斗状の傾斜面部４１の傾斜面に沿って円筒状の垂直部４２に流れ込み、下方に流れて、絶縁トロリ線の外部に排出される。
【００４４】
図５は、他の態様のドレイン機構の詳細を説明する図である。図５（ａ）は平面図、図５（ｂ）は断面図である。ドレイン機構７は、貫通孔部４０からなっている。図１および図２を参照して説明した態様のドレイン機構７においては、図４に示す態様と同様に、貫通孔部４０が、傾斜４１部および垂直部４２からなる概ね漏斗状の断面形状を備え、第２導体部５−２の内表面側に傾斜部４１が位置し、第２導体部５−２の外表面側および絶縁カバーに垂直部４２が位置している。傾斜部４１が平面円形状で、所定傾斜角を有する面からなり、垂直部４２が円筒形状からなっている。屋外に配置されて、摺動面８が位置する導体内部に雨水が浸入すると、図４を参照して説明したと同様に雨水が絶縁トロリ線の外部に排出される。
【００４５】
図３を参照して説明した態様のドレイン機構２９においては、図４を参照して説明したと同様に、貫通孔部４０が、傾斜部４１および垂直部４２からなる概ね漏斗状の断面形状を備え、絶縁カバー２６の第１円柱部２１に面する側に傾斜部４１が位置している。屋外に配置されて、摺動面８が位置する導体内部に雨水が浸入すると、図４を参照して説明したと同様に雨水が絶縁トロリ線の外部に排出される。
【００４６】
上述したように、この発明によると、屋外で横向きに敷設しても、雨水が導体内部に滞留するのを防止して、導体の汚損、腐食を発生させることなく、絶縁低下をもたらすことなく、安定的に電力を供給することができる絶縁トロリ線を提供することができる。
【符号の説明】
【００４７】
１  絶縁トロリ線
２  導体
３  絶縁カバー
４  第１導体部
５  第２導体部
６  摺導面
７  ドレイン機構
８  開口部
９  絶縁カバー本体部
１０  絶縁カバーの脚部
１１  ハンガークランプ
２０  導体
２１  第１円柱部
２２  第２円柱部
２３  連結部
２４  摺動面
２５  開口部
２６  絶縁カバー
２７  絶縁カバー本体部
２８  絶縁カバーの脚部
２９  ドレイン機構
３０  感電防止絶縁部材
３１  ハンガークランプ
３２  絶縁カバーの窪み部
３３  導体の窪み部
３４  ハンガークランプの先端部
４０  貫通孔部
４１  傾斜部
４２  垂直部
１００  集電装置
１０１  アーム
１０２  集電子
１０３  引張ばね
１０４  リード線
１０５  取り付け金具
１０６  ピン
１０７  絶縁トロリ線
１０８  ハンガー
１０９  導体
１１０  絶縁カバー
１１１  １１１
１１２  ジョイント
１１３  ジョイントクランプ
１１４  ジョイントカバー
【図１】
2010208544.tif 000003
【図２】
2010208544.tif 000004
【図３】
2010208544.tif 000005
【図４】
2010208544.tif 000006
【図５】
2010208544.tif 000007
【図６】
2010208544.tif 000008
【図７】
2010208544.tif 000009